(57)【要約】      （修正有）【課題】回転可能なバックル構造を備えたＵＳＢディスクを提供する。【解決手段】底部開口があるハウジング１０と、少なくともＵＳＢインターフェイス回路２１とメモリ機能のある実装集積回路２２とを備えた印刷回路基板２０と、印刷回路基板２０の裏面全体を支持するトレイ３０と、ハウジング１０上方に設けられて、帯状又はストラップ状の物に留めることが可能なバックル構造４０と、バックル構造４０とハウジング１０の間に接続されたハブ構造５０とからなる。バックル構造４０はハブ構造５０を中心としてハウジング１０に対向して回転可能である。 【選択図】図１
0003190426.tif 000002
【実用新案登録請求の範囲】
【請求項１】
底部開口があるハウジングと、
少なくともＵＳＢインターフェイス回路とメモリ機能のある実装集積回路とを備えた印刷回路基板と、
前記印刷回路基板の裏面全体を支持するトレイと、
前記ハウジング上方に設けられて、帯状又はストラップ状の物に留めることが可能なバックル構造と、
前記バックル構造と前記ハウジングの間に接続されたハブ構造と、
からなり、前記バックル構造が前記ハブ構造を中心として前記ハウジングに対向して回転可能であることを特徴とする回転可能なバックル構造を備えたＵＳＢディスク。
【請求項２】
前記ハブ構造は、ハウジング上端に設けられた１対の固定筒体と、前記バックル構造の底端に設けられた回転筒体とを備え、前記１対の固定筒体と前記回転筒体は枢軸で貫通され、前記回転筒体が前記１対の固定筒体の間にあることを特徴とする請求項１に記載の回転可能なバックル構造を備えたＵＳＢディスク。
【請求項３】
前記枢軸端部の表面にエンボス部が有り、前記エンボス部は固定筒体に伸入することを特徴とする請求項２に記載の回転可能なバックル構造を備えたＵＳＢディスク。
【請求項４】
前記エンボス部が伸入した固定筒体の端面に閉鎖面を設けることを特徴とする請求項３に記載の回転可能なバックル構造を備えたＵＳＢディスク。
【請求項５】
前記枢軸は、一端が環状凸部で他端が前記エンボス部である軸部を有し、前記軸部の外径は前記環状凸部より小さく、前記固定筒体の内口径は前記環状凸部と組合わさり、別の前記固定筒体の内口径は前記軸部と組合わさり、前記枢軸が前記固定筒体と回転筒体の間に枢設されることを特徴とする請求項４に記載の回転可能なバックル構造を備えたＵＳＢディスク。
【請求項６】
前記回転筒体には、前記軸部と組合わさる小内口径と、前記環状凸部と組合わさる大内孔径とが有り、前記軸部は前記回転筒体の小内孔径に伸入し、前記軸部の末端は前記小内口径から突出し、前記大内孔径と前記軸部間の間隙に小さなバネを設けることを特徴とする請求項５に記載の回転可能なバックル構造を備えたＵＳＢディスク。
【請求項７】
前記バックル構造はバックル台座を備え、Ｃ型リングの一端は前記バックル台座の一側から他側まで延在して切欠を形成し、前記切欠内にバネで支持された摺動部を設け、前記摺動部は前記バックル台座から延在して前記バックル台座の他側から貫入する引っ張り部の末端に貫入されて固着され、前記引っ張り部の他端には前記バックル台座外部に当接する環状凸部が形成され、前記環状凸部を引っ張ることで前記摺動部が前記バックル台座内に退縮して、前記切欠が開き、また、前記環状凸部を解放すると前記バネの回復力により、前記摺動部が前記バックル台座から延在して前記切欠を閉鎖することを特徴とする請求項１に記載の回転可能なバックル構造を備えたＵＳＢディスク。
【請求項８】
前記トレイは前記印刷回路表面に臨んでクリップを延在して前記実装集積回路の表面を挟持し、前記クリップ内に１対の弾性片を設けて前記印刷回路基板の表面を押え付け、前記クリップに前記ハウジングの係合溝内に伸入する前傾クランプを設けることを特徴とする請求項１に記載の回転可能なバックル構造を備えたＵＳＢディスク。
【請求項９】
前記枢軸は、一端が環状凸部で他端がリベット部である軸部を有し、前記軸部の外径は前記環状凸部より小さく、前記固定筒体の内口径は前記環状凸部と組合わさり、別の前記固定筒体の内口径は前記軸部と組合わさり、前記軸部の末端は、内口径が組合わさる前記固定筒体を貫通した上でプレスによって拡張して前記リベット部を形成し、前記枢軸が前記固定筒体と回転筒体の間に枢設されることを特徴とする請求項２に記載の回転可能なバックル構造を備えたＵＳＢディスク。
【請求項１０】
前記回転筒体には前記軸部と組合わさる小内口径と、前記環状凸部と組合わさる大内孔径とが有り、前記軸部は前記回転筒体の小内孔径内に伸入して、前記軸部の末端が前記小内口径の外部に突出し、前記大内孔径と前記軸部間の間隙に小さなバネを設けることを特徴とする請求項９に記載の回転可能なバックル構造を備えたＵＳＢディスク。
【考案の詳細な説明】
【技術分野】
【０００１】
本考案は、コンピュータに接続してデータへのアクセスが可能で、しかも携帯に便利なＵＳＢディスクに関し、より詳しくは、回転可能なバックル構造を備えたＵＳＢディスクに関する。
【背景技術】
【０００２】
ＵＳＢディスクはコンピュータに接続してデータへのアクセスが可能で携帯に便利であり、また容量の増大に伴って常備されたモバイル記憶装置である。ＵＳＢが進化するにつれて、ＵＳＢディスクの印刷回路基板はＵＳＢ２．０又は小型ＵＳＢ２．０等の規格からＵＳＢ３．０へと発展して、ＵＳＢディスクの体積がその都度縮小している。
【０００３】
ＵＳＢディスクの体積が小さいと、遺失し易いことから、ＵＳＢディスクにバックル構造を付加した設計として、携帯を一層便利にしている。例えば、出願人の特許文献１に記載の「バックル付きＵＳＢディスク」、又は特許文献２に記載の「留め具タイプのＵＳＢディスク（１）」、特許文献３に記載の「留め具タイプのＵＳＢディスク（２）」、特許文献４に記載の「ＵＳＢディスク」、特許文献５に記載の「ＵＳＢディスク」等の先願案件がある。
【先行技術文献】
【特許文献】
【０００４】
【特許文献１】台湾実用新案第Ｍ４１８３７７号公報
【特許文献２】台湾実用新案第Ｄ１４３０１４号公報
【特許文献３】台湾実用新案第Ｄ１４３０１５号公報
【特許文献４】台湾実用新案第Ｄ１４０６８１号公報
【特許文献５】台湾実用新案第Ｄ１３５６３６号公報
【考案の概要】
【考案が解決しようとする課題】
【０００５】
然しながら、前述した従来の技術では、特にＵＳＢディスクのバックル構造は何れもハウジングに固定されて回転不能であり、方向面でのニーズが有る場合、使用に不便であり、改善が待たれる。
【０００６】
そこで、本考案者は上記の欠点が改善可能と考え、鋭意検討を重ねた結果、合理的設計で上記の課題を効果的に改善する本考案の提案に到った。
【０００７】
本考案は、このような従来の問題に鑑みてなされたものである。上記課題解決のため、本考案は、回転可能なバックル構造を備えたＵＳＢディスクを提供することを主目的とする。
【課題を解決するための手段】
【０００８】
上記の課題を解決し、目的を達成するために、本考案に係る回転可能なバックル構造を備えたＵＳＢディスクは、
底部開口があるハウジングと、
少なくともＵＳＢインターフェイス回路とメモリ機能のある実装集積回路とを備えた印刷回路基板と、
前記印刷回路基板の裏面全体を支持するトレイと、
前記ハウジング上方に設けられて、帯状又はストラップ状の物に留めることが可能なバックル構造と、
前記バックル構造と前記ハウジングの間に接続されたハブ構造と、
からなり、前記バックル構造が前記ハブ構造を中心として前記ハウジングに対向して回転可能であることを特徴とする。
【０００９】
本考案に係る回転可能なバックル構造を備えたＵＳＢディスクの前記ハブ構造は、ハウジング上端に設けられた１対の固定筒体と、前記バックル構造の底端に設けられた回転筒体とを備え、前記１対の固定筒体と前記回転筒体とは枢軸で貫通されて、前記回転筒体は前記１対の固定筒体の間にある。前記枢軸の端部表面にエンボス部を有し、前記エンボス部は固定筒体に伸入する。前記エンボス部が伸入した固定筒体の端面に閉鎖面を設ける。
【００１０】
本考案に係る回転可能なバックル構造を備えたＵＳＢディスクの前記バックル構造はバックル台座を備え、Ｃ型リングの一端が前記バックル台座の一側から他側に延在して切欠を形成し、前記切欠内にバネで支持された摺動部が設けられ、前記摺動部は前記バックル台座から伸出して、前記バックル台座の他側から貫入された引っ張り部の末端に貫入して固着され、前記引っ張り部の他端は前記バックル台座外部に当接する環状凸部を形成する。前記環状凸部を引っ張ることで、前記摺動部が前記バックル台座内に退縮して、前記切欠が開く。また、前記環状凸部を解放すると、前記バネの回復力で前記摺動部が前記バックル台座から伸出して前記切欠を閉鎖する。
【００１１】
また、本考案に係る回転可能なバックル構造を備えたＵＳＢディスクの前記トレイは、前記印刷回路の表面に臨んでクリップを延在して前記実装集積回路の表面を挟持し、前記クリップ内に１対の弾性片を設けて、前記印刷回路基板の表面を押え付け、前記クリップに前記ハウジングの係合溝内に伸入する前傾クランプを設ける。
【００１２】
本考案に係る回転可能なバックル構造を備えたＵＳＢディスクのハウジングの底部開口は、コンピュータのＵＳＢスロット内に挿入可能であり、データの伝送並びに接続をする。バックル構造はハブ構造を中心としてハウジングに対向して回転して方向を調整して突出状況を軽減するよう直接調整可能で、又は使用に便利なように、留める物品に応じて方向面での調整をすることができる。
【００１３】
さらに、本考案に係る回転可能なバックル構造を備えたＵＳＢディスクは、ハウジング、印刷回路基板、バックル構造、及びハブ構造からなる。しかし、このうちハブ構造には設計変更があり、主に枢軸に軸部が有り、前記軸部の一端は環状凸部で、他端がリベット部であり、前記軸部の外径は前記環状凸部より小さい。固定筒体の内口径は環状凸部と組合わさり、別の固定筒体の内口径は軸部と組合わさる。軸部の末端が、内口径が組合わさる固定筒体を貫通した上で、プレスしてリベット部を拡張して、枢軸が固定筒体と回転筒体の間に枢設される。
【００１４】
また、本実施形態では、回転筒体は軸部と組合わさる小内口径と、環状凸部と組合わさる大内孔径とを有し、軸部が回転筒体の小内孔径内に伸入して、軸部の末端が小内口径の外部に突出する。これと共に、大内孔径と軸部間の間隙に小さなバネを設けてトルクを強化して、バックル構造が枢軸を中心として回転する際、バックル構造がどの角度でも安定して位置決めされる。
【考案の効果】
【００１５】
本考案によれば、回転可能なバックル構造を備えたＵＳＢディスクが得られる。
【図面の簡単な説明】
【００１６】
【図１】本考案の分解図である。
【図２】本考案のアセンブリ図である。
【図３】本考案の断面図である。
【図４】図３におけるＡＡ方向の断面図である。
【図５】本考案の実施形態を使用した図である。
【図６】本考案の別の実施形態の分解図である。
【図７】図６による実施形態の側面図である。
【図８】図７におけるＡＡ方向の断面図である。
【考案を実施するための形態】
【００１７】
以下に図面を参照して本考案を実施するための形態について、詳細に説明する。なお、本考案は、以下に説明する実施形態に限定されるものではない。
［第１実施形態］
まず、本考案の回転可能なバックル構造を備えたＵＳＢディスクの第１実施形態について説明する。本考案の第１実施形態の構成を図１から図５に示す。図１及び図２によれば、本考案の回転可能なバックル構造を備えたＵＳＢディスク１００は主に、ハウジング１０、印刷回路基板２０、トレイ３０、バックル構造４０、及びハブ構造５０で構成される。
【００１８】
本考案のハウジング１０は底部開口１１があり、内部に係合溝１２を設ける。印刷回路基板２０はＵＳＢインターフェイス回路２１とメモリ機能のある実装集積回路２２を備え、印刷回路基板２０はトレイ３０に支持されて、トレイ３０は印刷回路基板２０の裏面全体に貼付され、ＵＳＢインターフェイス回路２１は露出する。
【００１９】
トレイ３０は印刷回路基板２０の表面に臨んでクリップ３１を延在して実装集積回路２２の表面を挟持し、クリップ３１内に１対の弾性片３２を設けて印刷回路基板２０の表面を押え付け、クリップ３１には、ハウジング１０内の係合溝１２に伸入する前傾クランプ３３を設け、図４のように、ＵＳＢインターフェイス回路２１が丁度ハウジング１０の底部開口１１内にある。
【００２０】
本考案のバックル構造４０はハウジング１０上方に設けられ、帯状又はストラップ状の物に留めることが可能である。バックル構造４０はバックル台座４１を備え、Ｃ型リング４２の一端はバックル台座４１の一側から他側に延在して切欠４３を形成し、前記切欠４３内にバネ４４で支持された摺動部４５を設け、前記摺動部４５はバックル台座４１から伸出して、バックル台座４１の他側から貫入した引っ張り部４６の末端に貫入して固着され、前記引っ張り部４６の他端に、バックル台座４１の外部に当接する環状凸部４６１を形成する。図３のように、環状凸部４６１を引っ張ることで摺動部４５がバックル台座４１内に退縮して、切欠４３が開く。また、環状凸部４６１を解放すると、バネ４４の回復力で摺動部４５がバックル台座４１から伸出して切欠４３を閉鎖する。
【００２１】
本考案は主にハウジング１０とバックル構造４０の間にハブ構造５０を設ける。図４のバックル構造４０の点線と図５のように、ハブ構造５０はバックル構造４０とハウジング１０の間に接続され、バックル構造４０はハブ構造５０を中心としてハウジング１０に対向して回転可能である。
【００２２】
ハブ構造５０はハウジング１０上端に設けられた１対の固定筒体５１、５２と、バックル構造４０の底端に設けられた回転筒体５３とを備え、前記１対の固定筒体５１、５２と回転筒体５３は枢軸５４で貫通され、回転筒体５３は前記１対の固定筒体５１、５２の間にある。前記枢軸５４の端部表面にはエンボス部５４１があり、前記エンボス部５４１は固定筒体５２に伸入し、前記エンボス部５４１が伸入した固定筒体５２の端面に閉鎖面５２１を設けて枢軸５４が突出するのを防止する。
【００２３】
図５によれば、本考案のハウジング１０の底部開口１１は、コンピュータ２００のＵＳＢスロット２０１内に挿入してデータの伝送並びに接続が可能である。バックル構造４０はハブ構造５０を中心として、ハウジング１０に対向して回転して方向を調整することができ、突出状況を軽減するよう直接調整可能で、又は使用に便利なように、留める物品４００に応じて方向面での調整が可能である。
【００２４】
［第２実施形態］
図６から図８は本考案に係る回転可能なバックル構造を備えたＵＳＢディスク３００の第２実施形態であり、前実施形態と類似しており、ハウジング１０、印刷回路基板２０、バックル構造４０、及びハブ構造５０からなる。しかし、このうちハブ構造５０には設計変更があり、主に枢軸５４には軸部５４ａが有り、前記軸部５４ａの一端は環状凸部５４２で、他端がリベット部５４３であり、前記軸部５４ａの外径は前記環状凸部５４２より小さい。図８のように、固定筒体５１の内口径は環状凸部５４２と組合わさり、別の固定筒体５２の内口径は軸部５４ａと組合わさる。軸部５４ａの末端が、内口径が組合わさる固定筒体５２を貫通した上で、プレスしてリベット部５４３を拡張して、枢軸５４が固定筒体５１、５２と回転筒５３体の間に枢設される。
【００２５】
また、本実施形態では、回転筒体５３には軸部５４ａと組合わさる小内口径５３１と、環状凸部５４２と組合わさる大内孔径５３２とが有り、軸部５４ａが回転筒体５３の小内孔径内５３１に伸入して、軸部５４ａの末端が小内口径５３１の外部に突出する。これと共に、大内孔径５３２と軸部５４ａ間の間隙に小さなバネ５５を設けてトルクを強化して、バックル構造４０が枢軸５４を中心として回転する際、バックル構造４０がどの角度でも安定して位置決めされる。
【００２６】
当然ながら、この第２実施形態における小さなバネ５５のトルクが強化される設計は、第１実施形態にも応用可能であり、枢軸５４と回転筒体５３を第２実施形態と同様にすることで実現可能である。
【００２７】
以上、本考案の実施形態について図面を参照して詳述したが、具体的な構成はこの実施形態に限られるものではなく、本考案の要旨を逸脱しない範囲の設計変更等も含まれる。
【符号の説明】
【００２８】
１００、３００  ＵＳＢディスク
１０  ハウジング
１１  底部開口
１２  係合溝
２０  印刷回路基板
２１  ＵＳＢインターフェイス回路
２２  実装集積回路
３０  トレイ
３１  クリップ
３２  弾性片
３３  前傾クランプ
４０  バックル構造
４１  バックル台座
４２  Ｃ型リング
４３  切欠
４４  バネ
４５  摺動部
４６  引っ張り部
４６１  環状凸部
５０  ハブ構造
５１、５２  固定筒体
５２１  閉鎖面
５３  回転筒体
５３１  小内口径
５３２  大内孔径
５４  枢軸
５４ａ  軸部
５４２  環状凸部
５４３  リベット部
５４１  エンボス部
５５  小さなバネ
２００  コンピュータ
２０１  ＵＳＢスロット
４００  物品
【図１】
0003190426.tif 000003
【図２】
0003190426.tif 000004
【図３】
0003190426.tif 000005
【図４】
0003190426.tif 000006
【図５】
0003190426.tif 000007
【図６】
0003190426.tif 000008
【図７】
0003190426.tif 000009
【図８】
0003190426.tif 000010